(57)【要約】  鉄道車両用空気調和装置のケーシング（１０）には、空気調和を行う客室に通じる通気口（Ｈ１）が形成されている。ケーシング（１０）に収容された室内熱交換器（２４ａ）は、通気口（Ｈ１）を通じてケーシング（１０）の内外を流通する空気との間で熱交換を行う。通気口カバーとしてのリターン口カバー（４０）は、剛性を有する剛性部と、剛性部より折れ曲がり易い折り曲げ部と、を有することにより、ケーシング（１０）の内側から通気口（Ｈ１）を覆った状態でケーシング（１０）に着脱可能に固定される第１形態と、第１形態よりコンパクトに畳まれた第２形態との間で相互に変移可能である。
2017170424.tif 000002
【特許請求の範囲】
【請求項１】
空気調和を行う被空調室に通じる通気口が形成されたケーシングと、
前記ケーシングに収容され、前記通気口を通じて前記ケーシングの内外を流通する空気との間で熱交換を行う熱交換器と、
剛性を有する剛性部と、前記剛性部より折れ曲がり易い折り曲げ部と、を有することにより、前記ケーシングの内側から前記通気口を覆った状態で前記ケーシングに着脱可能に固定される第１形態と、前記第１形態よりコンパクトに畳まれた第２形態との間で相互に変移可能な通気口カバーと、
を備える空気調和装置。
【請求項２】
前記第１形態が、少なくとも１つの断面内で折り曲げられることにより、前記断面に平行な方向の荷重に対する前記通気口カバーの曲げ強度が高められた形態である、
請求項１に記載の空気調和装置。
【請求項３】
前記第２形態が、前記断面に垂直な方向に前記通気口カバーがコンパクト化された形態である、
請求項２に記載の空気調和装置。
【請求項４】
前記通気口カバーが、前記第１形態で、前記断面に垂直な方向を長手方向とする形状をなす、
請求項２又は３に記載の空気調和装置。
【請求項５】
前記通気口カバーが、前記第１形態で、前記断面に垂直な方向の両端を支持される、
請求項２から４のいずれか１項に記載の空気調和装置。
【請求項６】
前記通気口カバーが、平坦に展開可能であり、
前記通気口カバーの前記折り曲げ部が、前記通気口カバーを平坦に展開した状態で、第１方向に線状に延びる少なくとも１本の第１線状部と、各々前記第１方向と交差する第２方向に線状に延び、前記第１方向に並ぶ複数本の第２線状部と、を含む、
請求項１から５のいずれか１項に記載の空気調和装置。
【請求項７】
前記通気口カバーが、前記第２形態で、前記ケーシング内に保管される、
請求項１から６のいずれか１項に記載の空気調和装置。
【請求項８】
空気調和を行う被空調室に通じる通気口が形成されたケーシングと、
前記ケーシングに収容され、前記通気口を通じて前記ケーシングの内外を流通する空気との間で熱交換を行う熱交換器と、
前記通気口の延在方向に伸縮自在な伸縮構造体を有し、前記ケーシングの内側から前記通気口を覆う第１形態と、前記第１形態よりコンパクトに前記延在方向に縮められた第２形態との間で相互に変移可能な通気口カバーと、
を備える空気調和装置。
【請求項９】
前記通気口カバーの前記伸縮構造体が、蛇腹構造体又はテレスコピック構造体よりなる、
請求項８に記載の空気調和装置。
【請求項１０】
前記通気口カバーが、前記第１形態で前記通気口の全領域を覆い、前記第２形態で前記通気口の全領域を開放する位置に固定される、
請求項８又は９に記載の空気調和装置。
【請求項１１】
前記通気口が、前記ケーシングの底面に形成されており、
前記ケーシングが、前記底面から立ち上がった周壁を有し、前記周壁は、前記通気口の全周囲を取り囲んでおり、
前記ケーシングの側面における前記周壁の上端より低い位置には、排水口が形成されており、
前記通気口カバーが、前記第１形態では、前記通気口に面する部分が前記側面に向かって下方に傾斜した姿勢で前記通気口を覆う、
請求項１から１０のいずれか１項に記載の空気調和装置。
【請求項１２】
通気口が形成されたケーシング内に配置され、前記通気口を通じて前記ケーシングの内外を流通する空気との間で熱交換を行う熱交換器を、コンパクト化可能な通気口カバーで前記通気口を覆った状態で、清掃する清掃ステップと、
前記通気口カバーをコンパクト化し、コンパクト化された該通気口カバーを、前記ケーシング内の、前記通気口と前記熱交換器との間以外の領域に配置した状態で、前記熱交換器と前記空気との熱交換を再開させる再開ステップと、
を有する清掃方法。
【発明の詳細な説明】
【技術分野】
【０００１】
本発明は、空気調和装置及び清掃方法に関する。
【背景技術】
【０００２】
鉄道車両の客室を空調する鉄道車両用空気調和装置は、鉄道車両の客室に通じる通気口が形成されたケーシングに、その通気口を通じて流通する空気との間で熱交換を行う熱交換器が収容された構成を有する。【０００３】
熱交換器には、流通する空気によって運ばれる埃が付着する。このため、熱交換の効率を保つために、熱交換器を定期的に清掃する必要がある。熱交換器の清掃は、上記通気口を塞いでから行う。これは、熱交換器から除去された埃又は清掃に用いる洗浄水が、通気口を通じて客室に流出するのを防ぐためである。【０００４】
特許文献１は、熱交換器の清掃時に上記通気口を塞ぐために、板状の通気口カバーを、ケーシング内の上記通気口の脇に回動自在に取り付け、この板状の通気口カバーによって上記通気口を開閉できるようにした構成を開示している。
【先行技術文献】
【特許文献】
【０００５】
【特許文献１】特開２００７−２２３４５０号公報
【発明の概要】
【発明が解決しようとする課題】
【０００６】
上記板状の通気口カバーは、熱交換器の清掃後もケーシング内に残される。清掃後は、通気口が開放されるが、上記板状の通気口カバーは嵩張るため、通気口を開放した状態でも、ケーシング内の気流を乱す。そして、このことが、熱交換器の熱交換効率を低下させる原因となり得る。【０００７】
本発明の目的は、熱交換器の清掃後に通気口カバーがケーシング内に残される場合でも、ケーシング内の気流が乱されにくい空気調和装置及び清掃方法を提供することである。
【課題を解決するための手段】
【０００８】
上記目的を達成するために、本発明の空気調和装置は、
空気調和を行う被空調室に通じる通気口が形成されたケーシングと、
前記ケーシングに収容され、前記通気口を通じて前記ケーシングの内外を流通する空気との間で熱交換を行う熱交換器と、
剛性を有する剛性部と、前記剛性部より折れ曲がり易い折り曲げ部と、を有することにより、前記ケーシングの内側から前記通気口を覆った状態で前記ケーシングに着脱可能に固定される第１形態と、前記第１形態よりコンパクトに畳まれた第２形態との間で相互に変移可能な通気口カバーと、
を備える。
【発明の効果】
【０００９】
上記構成によれば、通気口カバーが、ケーシングの内側から通気口を覆った第１形態でケーシングに着脱可能に固定されるため、熱交換器の清掃後は、通気口カバーをケーシングから取り外すことができる。通気口カバーが仮にケーシング内に残される場合でも、通気口カバーを第２形態でケーシング内に配置すれば、コンパクトに畳まれているため、ケーシング内の気流が乱されにくい。
【図面の簡単な説明】
【００１０】
【図１】実施形態１に係る鉄道車両用空気調和装置の平面図
【図２】実施形態１に係るリターン口カバーが第２形態でケーシング内に収容された様子を示す概念図
【図３Ａ】実施形態１に係るリターン口カバーの平坦に展開した形態を示す斜視図
【図３Ｂ】実施形態１に係るリターン口カバーの第１形態を示す斜視図
【図４】実施形態１に係るリターン口カバーが第１形態でケーシング内に固定された様子を示す概念図
【図５】実施形態１に係るリターン口カバーが第１形態でケーシング内に固定された様子を示す断面図
【図６Ａ】実施形態１に係るリターン口カバーの第２形態への推移を示す斜視図及び側面図
【図６Ｂ】実施形態１に係るリターン口カバーの別の第２形態への推移を示す斜視図及び側面図
【図７Ａ】実施形態２に係るリターン口カバーの伸縮方向の一方の端部を示す斜視図
【図７Ｂ】実施形態２に係るリターン口カバーの他方の端部を示す斜視図
【図８】実施形態２に係るリターン口カバーが第２形態でケーシング内に収容された様子を示す概念図
【図９】実施形態２に係るリターン口カバーが第１形態でリターン口を覆った様子を示す概念図
【図１０】実施形態２に係るリターン口カバーが第１形態でリターン口を覆った様子を示す断面図
【図１１】実施形態３に係るリターン口カバーの斜視図
【発明を実施するための形態】
【００１１】
以下、図面を参照し、本発明の実施形態に係る鉄道車両用空気調和装置について説明する。図中、同一又は対応する部分に同一の符号を付す。
【００１２】
［実施形態１］
図１に示すように、本実施形態に係る鉄道車両用空気調和装置１００は、外殻をなすケーシング１０内に、冷凍サイクルを構成するヒートポンプ２０が収められた構成を有する。
【００１３】
ケーシング１０は、底面及び側面を有し、上部が開口した箱状の基枠１１と、基枠１１の上部開口を塞ぐ天面１２と、基枠１１と天面１２とで囲まれる内部空間を仕切る第１〜第４の仕切板１３〜１６とを有する。なお、図１では、ケーシング１０の内部を示すために天面１２を一部のみ示す。
【００１４】
基枠１１は、鉄道車両の屋根に載せられ、平面視において、鉄道車両の進退方向（図１では左右方向）を長手方向とする長方形状をなす。第１〜第４の仕切板１３〜１６によって、ケーシング１０内に、第１の圧縮機室Ｒ１、第１の室外機室Ｒ２、室内機室Ｒ３、第２の室外機室Ｒ４、及び第２の圧縮機室Ｒ５が、構成されている。
【００１５】
室内機室Ｒ３の底面には、通気口としてのリターン口Ｈ１及びＨ２が形成されている。リターン口Ｈ１及びＨ２は、それぞれ空気調和を行う被空調室としての、鉄道車両の客室に通じている。
【００１６】
ヒートポンプ２０は、冷媒を圧縮する圧縮機２１ａ〜２１ｄと、外気と熱交換を行う室外熱交換器２２ａ〜２２ｄと、鉄道車両の客室内の空気と熱交換を行う室内熱交換器２４ａ及び２４ｂと、を有する。また、ヒートポンプ２０は、室外熱交換器２２ａ及び２２ｂの熱交換を促進する室外ファン２３ａと、室外熱交換器２２ｃ及び２２ｄの熱交換を促進する室外ファン２３ｂと、リターン口Ｈ１から鉄道車両の客室の空気を吸い上げ、吸い上げた空気を、室内熱交換器２４ａを通過させて、再び客室に戻す室内ファン２５ａと、リターン口Ｈ２から鉄道車両の客室の空気を吸い上げ、吸い上げた空気を、室内熱交換器２４ｂを通過させて、再び客室に戻す室内ファン２５ｂと、を有する。
【００１７】
圧縮機２１ａ及び２１ｂは、第１の圧縮機室Ｒ１に配置されている。圧縮機２１ｃ及び２１ｄは、第２の圧縮機室Ｒ５に配置されている。室外熱交換器２２ａ及び２２ｂと、室外ファン２３ａは、第１の室外機室Ｒ２に配置されている。室外熱交換器２２ｃ及び２２ｄと、室外ファン２３ｂは、第２の室外機室Ｒ４に配置されている。
【００１８】
室内熱交換器２４ａ及び２４ｂと、室内ファン２５ａ及び２５ｂは、室内機室Ｒ３に配置されている。なお、室内機室Ｒ３には、室内熱交換器２４ａ及び２４ｂの清掃の際にリターン口Ｈ１及びＨ２を覆う通気口カバーとしてのリターン口カバー４０も収容されている。リターン口カバー４０については後述する。
【００１９】
また、ヒートポンプ２０は、図示しないが、冷媒を減圧する膨張機、気体の冷媒を液体の冷媒から分離する気液分離機、及び冷媒を流通させる冷媒配管も有する。
【００２０】
ヒートポンプ２０は、複数系統、具体的には、第１〜第４の４系統の冷凍サイクルを構成している。第１の冷凍サイクルは、圧縮機２１ａ、室外熱交換器２２ａ、及び室内熱交換器２４ａを構成要素とする。第２の冷凍サイクルは、圧縮機２１ｂ、室外熱交換器２２ｂ、及び室内熱交換器２４ｂを構成要素とする。第３の冷凍サイクルは、圧縮機２１ｃ、室外熱交換器２２ｃ、及び室内熱交換器２４ａを構成要素とする。第４の冷凍サイクルは、圧縮機２１ｄ、室外熱交換器２２ｄ、及び室内熱交換器２４ｂを構成要素とする。
【００２１】
一方の室内熱交換器２４ａは、第１及び第３の冷凍サイクルで共用され、他方の室内熱交換器２４ｂは、第２及び第４の冷凍サイクルで共用される。
【００２２】
室外熱交換器２２ａ〜２２ｄと、室内熱交換器２４ａ及び２４ｂとの、一方は冷媒を液化させる凝縮機として機能し、他方は冷媒を気化させる蒸発機として機能する。
【００２３】
以下、ヒートポンプ２０の動作を、室外熱交換器２２ａ〜２２ｄを凝縮機として用い、室内熱交換器２４ａ及び２４ｂを蒸発機として用いて、鉄道車両の客室を冷却する場合を例に挙げて説明する。なお、第１〜第４の冷凍サイクルの動作は同様であるため、第１の冷凍サイクルの動作を代表して説明する。
【００２４】
圧縮機２１ａによって圧縮された冷媒が、凝縮機としての室外熱交換器２２ａに送られる。室外熱交換器２２ａは、周囲に熱を放出することで冷媒を液化させる。室外熱交換器２２ａで加熱された空気は、室外ファン２３ａによって外部に放出される。
【００２５】
室外熱交換器２２ａで液化された冷媒は、膨張機を経て、蒸発機としての室内熱交換器２４ａに送られる。室内機室Ｒ３では、室内ファン２５ａが、鉄道車両の客室の空気を、リターン口Ｈ１を通じて室内機室Ｒ３に吸い上げ、吸い上げた空気を、室内熱交換器２４ａを通過させて、自己の真下に位置する図示せぬ送風口を通じて客室に戻している。
【００２６】
室内熱交換器２４ａは、鉄道車両の客室と室内機室Ｒ３とを循環する空気から熱を吸収することで、冷媒を気化させる。そして、室内熱交換器２４ａで冷却された空気が、室内ファン２５ａによって客室に戻される。室内熱交換器２４ａで気化された冷媒は、気液分離機を経て、圧縮機２１ａに戻される。以上の手順で、冷媒が循環される。
【００２７】
本実施形態に係る鉄道車両用空気調和装置１００は、室内機室Ｒ３のリターン口Ｈ１及びＨ２の各々の周囲にリターン口カバー４０を配置した点に特に特徴を有する。そこで、以下、リターン口カバー４０の配置位置及び構成について説明する。なお、室内機室Ｒ３内で、リターン口Ｈ２、リターン口カバー４０、室内熱交換器２４ｂ、及び室内ファン２５ｂの配置関係は、リターン口Ｈ１、リターン口カバー４０、室内熱交換器２４ａ、及び室内ファン２５ａの配置関係と同様であるため、後者の配置関係を代表して詳述する。
【００２８】
図２に示すように、室内機室Ｒ３におけるケーシング１０の底面１１１に、室内熱交換器２４ａが立設されている。室内熱交換器２４ａの向かいに、リターン口Ｈ１が開口している。リターン口Ｈ１は、ケーシング１０の底面１１１に形成されており、底面１１１のさらに下方に位置する図示せぬ鉄道車両の客室に通じている。
【００２９】
リターン口Ｈ１は、平面視において、一方向、具体的には、鉄道車両の進行方向と平行な方向を長手方向とするように、長尺な矩形状をなしている。室内熱交換器２４ａも、リターン口Ｈ１の長手方向と平行に長尺に延在している。
【００３０】
ケーシング１０は、底面１１１から立ち上がった周壁３０を有する。周壁３０は、リターン口Ｈ１の全周囲を取り囲んでいる。平面視において、周壁３０は、リターン口Ｈ１の矩形形状と対応する長尺な矩形の枠状をなす。
【００３１】
リターン口Ｈ１及び周壁３０を挟んで、室内熱交換器２４ａと、ケーシング１０の側面１１２とが、対面している。ケーシング１０の側面１１２の、周壁３０の上端より低い位置、具体的には、側面１１２の下端に、排水口Ｄ１及びＤ２が形成されている。排水口Ｄ１及びＤ２は、室内熱交換器２４ａで凝縮した空気中の水分を、ケーシング１０の外部に排出するためのものである。
【００３２】
ケーシング１０の内部におけるリターン口Ｈ１の周囲には、室内熱交換器２４ａの清掃の際に、室内熱交換器２４ａから除去された埃や洗浄水が客室に流出するのを防止すべくケーシング１０の内側からリターン口Ｈ１を覆う覆い具６０が配置されている。覆い具６０は、リターン口Ｈ１を覆うリターン口カバー４０と、リターン口カバー４０を着脱可能に支持する一対の支持台５１及び５２とを有する。
【００３３】
支持台５１及び５２は、各々板状をなし、リターン口Ｈ１及び周壁３０を挟んで、リターン口Ｈ１の長手方向に相対向して配置されている。
【００３４】
一方の支持台５１は、周壁３０の支持台５１に対向する面より大きい。即ち、周壁３０の支持台５１に対向する面を、支持台５１に投影した投影領域は、支持台５１の周壁３０と対向する面の面積より小さい。
【００３５】
同様に、他方の支持台５２は、周壁３０の支持台５２に対向する面より大きい。即ち、周壁３０の支持台５２に対向する面を、支持台５２に投影した投影領域は、支持台５２の周壁３０と対向する面の面積より小さい。
【００３６】
支持台５１及び５２の下面は、ケーシング１０の底面１１１に固定されている。支持台５１及び５２の上面は、ケーシング１０の側面１１２に向かって下方に傾斜している。また、支持台５１の上面にはネジ穴５１ａが形成されており、同様に、支持台５２の上面にも、ネジ穴５２ａが形成されている。
【００３７】
リターン口カバー４０は、一方の支持台５１の、リターン口Ｈ１とは反対側の脇に配置されている。図２には、コンパクトに畳まれて保管された状態のリターン口カバー４０を示す。リターン口カバー４０は、広げられてリターン口Ｈ１を覆う形態をとることもでき、その形態で支持台５１及び５２に支持される。
【００３８】
図３Ａに示すように、リターン口カバー４０は、剛性を有する剛性部４１と、剛性部４１より折れ曲がり易い折り曲げ部４２とを有する。図示のように、リターン口カバー４０は、折り曲げ部４２を折り曲げずに平坦に展開可能である。平坦に展開されたリターン口カバー４０は、平面視において、一方向を長手方向とする長方形状をなす。以下、その長手方向をｘ軸方向、厚さ方向をｚ軸方向とするｘｙｚ直交座標系を定義して説明を続ける。
【００３９】
折り曲げ部４２は、リターン口カバー４０を平坦に展開した状態で、各々第１方向としてのｘ軸方向に線状に延び、ｘ軸方向に直交するｙ軸方向に平行に並ぶ２本の第１線状部としての第１凹条４２ａと、各々ｙ軸方向に線状に延び、ｘ軸方向に平行に並ぶ９本の第２線状部としての第２凹条４２ｂとを含む。
【００４０】
各々の第１凹条４２ａは、リターン口カバー４０のｘ軸方向の一端から他端にわたって延在している。隣り合う第１凹条４２ａの間隔は、図２に示したリターン口Ｈ１の、長手方向に直交する短手方向の幅より大きい。
【００４１】
また、各々の第２凹条４２ｂは、２本の第１凹条４２ａと交差し、リターン口カバー４０のｙ軸方向の一端から他端にわたって延在している。隣り合う第２凹条４２ｂの間隔は、図２に示したリターン口Ｈ１の、長手方向の幅より小さい。
【００４２】
第１凹条４２ａと第２凹条４２ｂは、剛性部４１と同一の素材で形成されているが、それぞれの延在方向に垂直な断面が凹状をなしており、剛性部４１より厚みが小さい。このため、剛性部４１より折れ曲がり易い。
【００４３】
リターン口カバー４０は、具体的には、非透水性及び可撓性を有する素材としてのシリコン樹脂で形成されている。リターン口カバー４０は弾性を有するため、第１凹条４２ａと第２凹条４２ｂにおける折り曲げと戻しとを繰り返して行うことができる。
【００４４】
また、リターン口カバー４０のｘ軸方向の両端部分には、図２に示した支持台５１及び５２に着脱可能に取り付けるための被取付部としての貫通孔４３が形成されている。貫通孔４３は、２本の第１凹条４２ａの間に位置している。
【００４５】
図３Ｂに、リターン口Ｈ１を塞ぐ形態（以下、第１形態という。）のリターン口カバー４０を示す。第１形態は、２本の第１凹条４２ａの各々で折り曲げられた形態である。具体的には、２本の第１凹条４２ａは、リターン口カバー４０のｙｚ断面がコの字状をなすように、ｙｚ断面内で折り曲げられている。
【００４６】
このように、第１凹条４２ａに沿ってｙｚ断面内で折り曲げられることにより、リターン口カバー４０の、ｙｚ断面に平行な方向の荷重に対する曲げ強度が高められる。具体的には、ｘｚ面内での曲げに対する強度が高められる。このため、ｘ軸方向の両端のみを支持した場合でも、第１形態のリターン口カバー４０は、自重では殆ど撓まず、自ら第１形態を維持する保形性を発揮する。
【００４７】
図４に、第１形態のリターン口カバー４０で、リターン口Ｈ１を覆った様子を示す。リターン口カバー４０は、上述したｘ軸方向をリターン口Ｈ１の長手方向に向け、その長手方向に関する両端部分の、一方の第１凹条４２ａから他方の第１凹条４２ａにわたる部分を、支持台５１及び５２によって支持されている。このように、第１形態のリターン口カバー４０は、両持ち梁の態様で支持されている。
【００４８】
上述のように、第１形態のリターン口カバー４０は、第１凹条４２ａの折り曲げによって曲げ剛性が高められているため、殆ど撓むことなく、自重に抗して第１形態を維持することができる。
【００４９】
また、支持台５１及び５２の上面が側面１１２に向かって下方に傾斜しているため、第１形態のリターン口カバー４０の、リターン口Ｈ１に面する部分、具体的には、２本の第１凹条４２ａの間の部分が、側面１１２に向かって下方に傾斜している。
【００５０】
但し、リターン口カバー４０を、ケーシング１０の底面１１１に投影した投影領域は、リターン口Ｈ１及び周壁３０を内包する。また、リターン口カバー４０の、リターン口Ｈ１の短手方向の一方の端部は、一方の第１凹条４２ａで折り曲げられて底面１１１に向かって垂下し、周壁３０と対面している。同様に、リターン口カバー４０の、リターン口Ｈ１の短手方向の他方の端部は、他方の第１凹条４２ａで折り曲げられて底面１１１に向かって垂下し、周壁３０と対面している。
【００５１】
第１形態のリターン口カバー４０は、繰り返し使用可能な留め具によって、支持台５１及び５２に着脱可能に固定される。具体的には、リターン口カバー４０は、一方の支持台５１に、上記留め具としてのネジ５１ｂで固定され、他方の支持台５２にも、上記留め具としてのネジ５２ｂで固定される。ネジ５１ｂは、図３Ｂに示す貫通孔４３に挿通されて、図２に示すネジ穴５１ａにねじ込まれる。ネジ５２ｂも同様である。
【００５２】
このようにして、第１形態のリターン口カバー４０を支持台５１及び５２に固定した状態で、室内熱交換器２４ａの清掃が行われる。清掃には、高圧洗浄機が用いられる。
【００５３】
図５に示すように、高圧洗浄機のノズルＮから、室内熱交換器２４ａに高圧水を噴射する。リターン口Ｈ１がリターン口カバー４０で覆われているため、室内熱交換器２４ａで跳ね返った洗浄水がリターン口Ｈ１に進入することはない。
【００５４】
また、リターン口カバー４０の、リターン口Ｈ１と対向する部分の外面（以下、上面という。）に跳ね返った洗浄水は、リターン口カバー４０の上面の傾斜によって、側面１１２側にすみやかに流れ落ちる。このとき、リターン口カバー４０の上面の第２凹条４２ｂは、洗浄水を側面１１２側に導く案内溝として機能する。リターン口カバー４０から側面１１２側に流れ落ちた洗浄水は、底面１１１の、排水口Ｄ１及びＤ２に向かう傾斜によって、排水口Ｄ１及びＤ２に導かれ、排水口Ｄ１及びＤ２から室内機室Ｒ３の外に排出される。
【００５５】
また、リターン口カバー４０の、室内熱交換器２４ａに近い方の第１凹条４２ａで折り曲げられて垂下した端部４０ａの下端は、その端部４０ａに対面する周壁３０の上端よりも、下方に位置する。同様に、リターン口カバー４０の、側面１１２に近い方の第１凹条４２ａで折り曲げられて垂下した端部４０ｂの下端は、その端部４０ｂに対面する周壁３０の上端よりも、下方に位置する。このため、底面１１１に平行な方向から吹き付けられる洗浄水の、リターン口Ｈ１への進入もリターン口カバー４０で防止される。
【００５６】
また、周壁３０の上端部には、底面１１１に向かって折り返された返し３０ａが形成されている。返し３０ａは、リターン口カバー４０の上記端部４０ａ及び４０ｂに近づくように開いている。このため、リターン口カバー４０の上記端部４０ａ及び４０ｂと、周壁３０との間に洗浄水が進入しにくく、底面１１１で跳ね返った洗浄水のリターン口Ｈ１への進入も防止される。
【００５７】
以上のようにして、室内熱交換器２４ａの清掃を終えた後は、リターン口カバー４０を支持台５１及び５２から取り外して、コンパクト化する。なお、図４に示すネジ５１ｂ、５２ｂは、リターン口カバー４０を取り外した後に、それぞれ図２に示すネジ穴５１ａ、５２ａに戻される。
【００５８】
図６Ａの左図を参照し、リターン口カバー４０のコンパクト化の手順を説明する。リターン口カバー４０は、第１凹条４２ａの折り曲げが戻されて、一旦平坦に展開された後、各々の第２凹条４２ｂが折り曲げられるように、ｘ軸方向に丸められる。
【００５９】
図６Ａの右図は、このようにして第１形態よりコンパクト化された形態（以下、第２形態という。）のリターン口カバー４０を示す。リターン口カバー４０は、第２形態では、ｘ軸方向にコンパクト化されている。
【００６０】
図２に示したように、第２形態のリターン口カバー４０は、一方の支持台５１の、リターン口Ｈ１の長手方向に関してリターン口Ｈ１とは反対側の脇に配置され、紐やベルト等の線材で、支持台５１に固定される。図２に示す状態で、第２形態のリターン口カバー４０は、ケーシング１０内に保管される。そして、室内熱交換器２４ａを含むヒートポンプ２０の稼働を再開させる。
【００６１】
以上説明したように、本実施形態では、まず、第１形態のリターン口カバー４０でケーシング１０の内側からリターン口Ｈ１を覆った状態で、室内熱交換器２４ａを清掃する。そして、リターン口カバー４０を第２形態へとコンパクト化して、支持台５１の脇に配置し、室内熱交換器２４ａの熱交換を再開させる。本実施形態によれば、以下の効果が得られる。
【００６２】
（１）リターン口カバー４０は、コンパクトに畳まれた第２形態でケーシング１０内に保管されるため、ヒートポンプ２０の稼働時に、室内機室Ｒ３の気流を乱しにくい。このため、室内熱交換器２４ａの熱交換効率を良好に保つことができる。
【００６３】
（２）第２形態のリターン口カバー４０は、リターン口Ｈ１と室内熱交換器２４ａとの間以外の領域、具体的には支持台５１の脇に保管される。このため、保管状態のリターン口カバー４０は、リターン口Ｈ１から室内熱交換器２４ａに向かう気流に影響を与えにくい。支持台５１及び５２についても同様である。このことも、室内熱交換器２４ａの熱交換効率を良好に保つことに寄与している。
【００６４】
（３）リターン口カバー４０は、第１形態では、ｘ軸方向に延びる第１凹条４２ａに沿って折り曲げられることにより、ｘ軸方向に平行な面内、具体的にはｘｚ面内での曲げに対する強度が高められるため、これを少ない支持点数で支持することができる。具体的には、リターン口カバー４０は、ｘ軸方向の両端を支持するだけで、自重に抗して第１形態を維持できる。リターン口カバー４０を支持する部材が、２つの支持台５１及び５２のみで足りるので、室内機室Ｒ３の内部構成が複雑になりにくく、この結果、室内機室Ｒ３の気流が乱されにくい。
【００６５】
（４）リターン口カバー４０は、ビニルシートとは異なって、優先的に折れ曲がる折り曲げ部４２を有するため、作業員は、第１形態と第２形態との間の変移を速やかに行える。このため、ビニルシートを用いてリターン口Ｈ１を養生する場合に比べて、清掃前のリターン口Ｈ１を覆う養生作業と、清掃後の片付け作業とを速やかに行える。
【００６６】
また、リターン口カバー４０は、折り曲げ部４２より折れ曲がりにくい剛性部４１を有するので、ビニルシートとは異なり、第１、第２の各形態の安定性に優れる。特に、リターン口カバー４０は、第１形態を安定的に維持して支持台５１及び５２に載るので、その載せる作業と支持台５１及び５２へのネジ止めとを、１人の作業員で容易に行える。
【００６７】
なお、以上説明した実施形態では、図６Ａに示したように、リターン口カバー４０をｘ軸方向に丸めることで、第２形態に移行させたが、第２形態はこれに限られない。
【００６８】
図６Ｂに示すように、リターン口カバー４０は、第２凹条４２ｂが交互に異なる向きに折り曲げられて山と谷が交互に形成されるように、ジグザグ状に畳むことでｘ軸方向にコンパクト化することもできる。図６Ｂの右図は、このようにしてコンパクト化された第２形態のリターン口カバー４０を示す。
【００６９】
［実施形態２］
上記実施形態１では、折り畳みによってコンパクト化可能なリターン口カバー４０を用いたが、伸縮構造体によってコンパクト化可能なリターン口カバーを用いてもよい。以下、その具体例を説明する。
【００７０】
図７Ａに示すように、本実施形態に係るリターン口カバー７０は、リターン口Ｈ１の長手方向に伸縮自在な伸縮構造体としての蛇腹構造体７１と、蛇腹構造体７１の伸縮方向に関する一方の端部を支持し、ケーシング１０に固定される基端部７２とを有する。蛇腹構造体７１は、シリコン樹脂よりなり、基端部７２は金属よりなる。基端部７２には、これをケーシング１０に固定するためのボルト孔７２ａが形成されている。
【００７１】
蛇腹構造体７１は、リターン口Ｈ１に対面する上面部７１ａと、上面部７１ａの、蛇腹構造体７１の伸縮方向に直交する幅方向の両端から垂下する一対の側面部７１ｂとを有する。
【００７２】
図７Ｂは、リターン口カバー７０の、蛇腹構造体７１の伸縮方向に関する他方の端部を示す。図示のように、上面部７１ａと一対の側面部７１ｂとで囲まれる内部は、空洞になっている。
【００７３】
また、リターン口カバー７０は、蛇腹構造体７１の伸縮方向に関する他方の端部に、蛇腹構造体７１の形状に対応する門型のフレーム７３を有する。門型のフレーム７３は、金属よりなり、幅方向に延びる水平部７３ａと、水平部７３ａの両端から垂下する一対の垂直部７３ｂ及び７３ｃとを有する。
【００７４】
また、フレーム７３の高さ方向中間位置には、弾性的に伸び縮みする弾性ベルト７４が取り付けられている。弾性ベルト７４は、一端が一方の垂直部７３ｂの高さ方向中間位置に繋がれ、他端が他方の垂直部７３ｃの高さ方向中間位置に繋がれている。
【００７５】
図８に示すように、リターン口カバー７０は、蛇腹構造体７１の伸縮方向がリターン口Ｈ１の長手方向と一致する向きで、伸縮方向に最も縮められた第２形態で、リターン口Ｈ１の全領域を開放する位置に固定される。固定は、基端部７２をケーシング１０の底面１１１にボルトで取り付けることにより行われている。
【００７６】
また、第２形態のリターン口カバー７０においては、蛇腹構造体７１に縮まる方向の弾性力が作用するように、弾性ベルト７４が基端部７２に架け渡される。これにより、リターン口カバー７０は、蛇腹構造体７１が縮められた第２形態を安定して維持する。
【００７７】
なお、本実施形態では、ケーシング１０の底面１１１に、底面１１１から突出するフックＦが設けられる。フックＦは、平面視で、リターン口Ｈ１の長手方向に関して、リターン口Ｈ１及び周壁３０を挟んで、基端部７２と対向する位置に設けられている。
【００７８】
図９は、蛇腹構造体７１を伸縮方向に伸ばした第１形態のリターン口カバー７０を示す。リターン口カバー７０は、第１形態では、リターン口Ｈ１の全領域を覆う。また、第１形態のリターン口カバー７０においては、蛇腹構造体７１に伸びる方向の弾性力が作用するように、弾性ベルト７４がフックＦにかけられる。これにより、リターン口カバー７０は、蛇腹構造体７１が伸ばされた第１形態を安定して維持する。
【００７９】
図１０に示すように、ケーシング１０の底面１１１の、周壁３０と側面１１２の間の部分は、周壁３０の位置から側面１１２に向かって下方に傾斜している。これに伴い、第１形態のリターン口カバー７０は、蛇腹構造体７１の上面部７１ａが、ケーシング１０の側面１１２に向かって下方に傾斜した姿勢で、リターン口Ｈ１を覆う。このため、上面部７１ａに跳ね返った洗浄水は、排水口Ｄ１及びＤ２に円滑に導かれる。
【００８０】
また、蛇腹構造体７１の向かい合う側面部７１ｂは、いずれもその下端が、ケーシング１０の底面１１１に接触している。このため、底面１１１に平行な方向から吹き付けられる洗浄水の、リターン口Ｈ１への進入も側面部７１ｂで防止される。
【００８１】
以上説明した実施形態によっても、リターン口カバー７０は、コンパクトに縮められた第２形態でケーシング１０内に保管される。また、その保管位置が、リターン口Ｈ１の長手方向の脇であり、リターン口Ｈ１と室内熱交換器２４ａとの間以外の領域である。このため、ヒートポンプ２０の稼働時に、室内機室Ｒ３の気流が乱されにくく、室内熱交換器２４ａの熱交換効率を良好に保つことができる。
【００８２】
また、作業員は、蛇腹構造体７１の伸縮によって、第１形態と第２形態との間の変移を速やかかつ容易に行える。このため、室内熱交換器２４ａの清掃前のリターン口Ｈ１を覆う養生作業と、清掃後の片付け作業とを、１人の作業員で速やかに行える。
【００８３】
［実施形態３］
上記実施形態２では、蛇腹構造体で伸縮するリターン口カバー７０を用いたが、伸縮構造体として、テレスコピック構造体を用いてもよい。以下、その具体例を説明する。
【００８４】
図１１に示すように、本実施形態に係るリターン口カバー８０は、リターン口Ｈ１の長手方向に伸縮自在な伸縮構造体としてのテレスコピック構造体８１と、テレスコピック構造体８１の伸縮方向に関する一方の端部に設けられ、ケーシング１０に固定される基端部８２とを有する。テレスコピック構造体８１及び基端部８２は、ステンレスよりなる。基端部８２には、これをケーシング１０に固定するためのボルト孔８２ａが形成されている。
【００８５】
テレスコピック構造体８１は、サイズの異なる複数の門型のカバー片８１ａが、１つのカバー片８１ａがそれよりひと回り大きいカバー片８１ａに対して出没自在に摺動するように、入れ子状に繋ぎ合わされた構成を有する。
【００８６】
本実施形態に係るリターン口カバー８０によれば、上述した蛇腹構造体７１を有するリターン口カバー７０と同様の効果が得られる他、カバー片８１ａ同士の摺動時の摩擦力により、第１形態を安定して維持できる。このため、リターン口カバー８０を第１形態に維持するための留め具、具体的には、図９に示したフックＦ及び弾性ベルト７４に相当する部材が不要になり、構成の簡素化が図られる。
【００８７】
以上、本発明の実施形態について説明した。本発明はこれに限られず、以下に述べる変形も可能である。
【００８８】
上記実施形態１では、室内熱交換器２４ａの清掃後に、リターン口カバー４０を室内機室Ｒ３に残したが、リターン口カバー４０は、室内機室Ｒ３に残さず別の場所に保管してもよい。その場合でも、リターン口カバー４０は、ビニルシートとは異なって、優先的に折れ曲がる折り曲げ部４２を有するため、第１形態と第２形態との間の変移を速やかに行え、かつ折れ曲がりにくい剛性部４１を有するため、第１、第２の各形態の安定性に優れる。このため、ビニルシートを用いる場合と比べて、リターン口Ｈ１を覆う養生作業と、清掃後の片付け作業とを速やかに行える効果が得られる。
【００８９】
上記実施形態１及び２では、リターン口カバー４０及び蛇腹構造体７１をシリコン樹脂で形成したが、リターン口カバー４０及び蛇腹構造体７１の素材は、これに限られない。非透水性及び可撓性を有する素材として、樹脂やゴムを広く用いることができる。また、難燃性の樹脂を用いてもよく、これにより、リターン口カバー４０及び蛇腹構造体７１が高温に晒される場合、具体的には、室内熱交換器２４ａを凝縮機として用いる場合でも、リターン口カバー４０及び蛇腹構造体７１の耐久性を高めることができる。また、清掃に水や洗剤等の液体を用いない場合は、リターン口カバー４０及び蛇腹構造体７１は、必ずしも非透水性を有しなくてもよい。また、上記実施形態３では、テレスコピック構造体８１をステンレスで形成したが、これに限られず、アルミやチタン等の金属を広く用いることができる。また、リターン口カバー４０、蛇腹構造体７１、及びテレスコピック構造体８１は、防かび性、抗菌性を有していてもよい。
【００９０】
上記実施形態１では、リターン口カバー４０の第１形態をｙｚ断面内でコの字状に２箇所折り曲げた形態としたが、Ｌ字状をなすように１箇所折り曲げるだけでも、ｙｚ断面に平行な方向の荷重に対する曲げ強度を高めることができる。また、リターン口カバー４０の第１形態を複数の断面内、具体的には、ｙｚ断面内のみならず、ｘｚ断面内でも折り曲げた形態とすることで、第１形態における曲げ剛性をさらに高めることができる。
【００９１】
上記実施形態１では、支持台５１及び５２を用いたが、支持台５１及び５２は必須ではない。第１形態のリターン口カバー４０を直接、周壁３０に覆い被せてもよい。また、第１形態のリターン口カバー４０の固定には必ずしも留め具を用いなくてもよく、支持台５１及び５２や周壁３０に載置するだけでもよい。その場合でも、第１形態のリターン口カバー４０は、自重で安定して載置の状態を保つことができる。
【００９２】
上記実施形態１では、第２形態のリターン口カバー４０を、支持台５１と、図１に示す第３の仕切板１５との間に、両者によって挟まれた状態で保管してもよい。このように、支持台５１と第３の仕切板１５との間の距離を設計することもできる。また、第２形態のリターン口カバー４０を収納袋に収めることで、保管時に汚れることを防止してもよい。
【００９３】
上記実施形態２では、蛇腹構造体７１がリターン口Ｈ１を覆った第１形態を維持するための留め具として弾性ベルト７４を用いたが、これに限られない。弾性ベルト７４に代えて、又は弾性ベルト７４と共に、キャッチクリップ、掛け金、螺合部材等の他の留め具を用いてもよい。また、テレスコピック構造体８１においても、これらの留め具を用いてもよい。
【００９４】
本発明は、本発明の広義の精神と範囲を逸脱することなく、様々な実施形態及び変形が可能とされるものである。また、上述した実施形態は、本発明を説明するためのものであり、本発明の範囲を限定するものではない。即ち、本発明の範囲は、実施形態ではなく、請求の範囲によって示される。そして、請求の範囲内及びそれと同等の発明の意義の範囲内で施される様々な変形が、本発明の範囲内とみなされる。
【００９５】
本出願は、２０１６年３月２８日に出願された、日本国特許出願特願２０１６−０６３４０９号に基づく。本明細書中に日本国特許出願特願２０１６−０６３４０９号の明細書、特許請求の範囲、図面全体を参照として取り込むものとする。
【産業上の利用可能性】
【００９６】
本発明の空気調和装置は、被空調室の空気調和を行うものとして広く用いることができる。特に、本発明の空気調和装置は、車両において人が乗るために画定された車室の空気調和を行うものとして好適である。
【符号の説明】
【００９７】
１０…ケーシング、１１…基枠、１１１…底面、１１２…側面、１２…天面、１３…第１の仕切板、１４…第２の仕切板、１５…第３の仕切板、１６…第４の仕切板、２０…ヒートポンプ、２１ａ〜２１ｄ…圧縮機、２２ａ〜２２ｄ…室外熱交換器、２３ａ，２３ｂ…室外ファン、２４ａ，２４ｂ…室内熱交換器（熱交換器）、２５ａ，２５ｂ…室内ファン、３０…周壁、３０ａ…返し、４０…リターン口カバー（通気口カバー）、４０ａ，４０ｂ…端部、４１…剛性部、４２…折り曲げ部、４２ａ…第１凹条（第１線状部）、４２ｂ…第２凹条（第２線状部）、４３…貫通孔、５１，５２…支持台、５１ａ，５２ａ…ネジ穴、５１ｂ，５２ｂ…ネジ、６０…覆い具、７０…リターン口カバー（通気口カバー）、７１…蛇腹構造体（伸縮構造体）、７１ａ…上面部、７１ｂ…側面部、７２…基端部、７２ａ…ボルト孔、７３…フレーム、７３ａ…水平部、７３ｂ，７３ｃ…垂直部、７４…弾性ベルト、８０…リターン口カバー（通気口カバー）、８１…テレスコピック構造体（伸縮構造体）、８１ａ…カバー片、８２…基端部、８２ａ…ボルト孔、１００…鉄道車両用空気調和装置（空気調和装置）、Ｄ１，Ｄ２…排水口、Ｆ…フック、Ｈ１，Ｈ２…リターン口（通気口）、Ｎ…ノズル、Ｒ１…第１の圧縮機室、Ｒ２…第１の室外機室、Ｒ３…室内機室、Ｒ４…第２の室外機室、Ｒ５…第２の圧縮機室。
【図１】
2017170424.tif 000003
【図２】
2017170424.tif 000004
【図３Ａ】
2017170424.tif 000005
【図３Ｂ】
2017170424.tif 000006
【図４】
2017170424.tif 000007
【図５】
2017170424.tif 000008
【図６Ａ】
2017170424.tif 000009
【図６Ｂ】
2017170424.tif 000010
【図７Ａ】
2017170424.tif 000011
【図７Ｂ】
2017170424.tif 000012
【図８】
2017170424.tif 000013
【図９】
2017170424.tif 000014
【図１０】
2017170424.tif 000015
【図１１】
2017170424.tif 000016
【国際調査報告】
2017170424.tif 000017
2017170424.tif 000018
2017170424.tif 000019
2017170424.tif 000020